(57)【要約】【課題】  視聴者毎の固有の電子番組表を表示させると共に、車載のデジタル放送受信機で番組を視聴する際に、受信感度に応じた情報を固有の電子番組表に反映させるデジタル放送受信機を提供すること。【解決手段】  図１は電子番組表デ−タに基づき電子番組表からグル−プ分けされた視聴者Ａの固有の電子番組表を示すものであり、（ａ）欄には番組の種類が設定される。また、（ｂ）欄には各番号の表示形態が設定される。図１においては、ニュ−ス番組は文字で表示し、音楽番組は五線紙に音符のアイコンで表示している。また、スポ−ツ番組はバットとボ−ルで表示している。このように、音楽番組とスポ−ツ番組は番組内容を連想させるようなアイコンの画像で表示しているので、視聴者Ａは視覚により迅速に番組内容を判断することができる。【選択図】  図１
2007089220.tif 000002
【特許請求の範囲】
【請求項１】
チュ−ナで選局する放送番組の電子番組表デ−タに基づき電子番組表をディスプレイに表示させるデジタル放送受信機であって、電子番組表から番組の内容に応じて視聴者毎に文字情報とアイコンの画像でグル−プ分けした固有の電子番組表を作成する手段と、視聴者毎にグル−プ分けされた固有の電子番組表を作成する際に視聴予約を登録する手段と、視聴予約番組の放送開始時刻からの経過時間を設定する手段と、当該経過時間後に視聴予約を自動的に取り消す手段とを有することを特徴とする、デジタル放送受信機。
【請求項２】
前記視聴予約を登録する手段と共に、視聴予約番組の予約有効時刻を指定する手段と、当該予約有効時刻の経過後に視聴予約を自動的に取り消す手段とを有することを特徴とする、請求項１に記載のデジタル放送受信機。
【請求項３】
前記視聴予約を登録する手段と共に、視聴予約時刻の経過時間を番組の放送時間の全体の割合で設定する手段を設けることを特徴とする、請求項１に記載のデジタル放送受信機。
【請求項４】
前記視聴予約設定の有効期限の報知を、一定時間経過毎に行なうことを特徴とする、請求項１に記載のデジタル放送受信機。
【発明の詳細な説明】
【技術分野】
【０００１】
本発明は、電子番組表デ−タに基づき電子番組表から視聴者毎にグル−プ分け
された固有の電子番組表をディスプレイに表示させると共に、車載のデジタル放
送受信機で番組を視聴する際に、受信感度に応じた情報を当該固有の電子番組表
に反映させたデジタル放送受信機に関する。
【背景技術】
【０００２】
最近、衛星放送などの多チャンネルの番組を視聴するデジタル放送受信機が普
及してきている。デジタル放送受信機では、テレビジョン（以下、ＴＶと略記す
る）放送の複数チャンネルのデ−タが多重化されたＴＳ（Ｔｒａｎｓｐｏｒｔ  
Ｓｔｒｅａｍ）を選択して再生する。ＴＳには、ＥＰＧ（Ｅｌｅｃｔｒｏｎｉｃ
Ｐｒｏｇｒａｍ  Ｇｕｉｄｅ、電子番組表）が付加されている。
【０００３】
電子番組表として、チャンネル毎に放送時間に対応させて番組内容を文字情報
で表示するものが知られている。視聴者は、ディスプレイにこの電子番組表を随
時表示して、番組内容を閲覧することができる。このように、デジタル放送を視
聴する際に電子番組表をディスプレイに表示すると、番組内容を確認できるので
視聴者に対するサ−ビスが向上するという利点がある。
【０００４】
従来の電子番組表の表示形態は、文字情報のみの表示と、番組内容を想起させ
るような簡略化されたアイコンの画像で表示されていた。ここで、アイコンによ
る電子番組表は、年代や性別などの視聴者の特性とは関係なく画一的に形成され
ていた。なお、電子番組表はＥＰＧデ−タに基づきデジタル放送受信機が生成す
るもので、デジタル放送受信機の機種毎に若干表示形態が異なるが、略同様の表
示内容である。
【発明の開示】
【発明が解決しようとする課題】
【０００５】
このため、視聴者は、年代や性別などの特性に拘らず文字情報か、または画一
的に形成されているアイコンの画像で電子番組表を閲覧していた。したがって、
個々の視聴者にとっては、電子番組表の使い勝手が良好ではない場合がある。例
えば、スポ−ツ番組をアイコンで表示する場合でも、幼児と成人ではアイコンの
形態を変えたいという要請がある。このように、従来においては、視聴者毎の特
性に応じて異なる形態で電子番組表を表示させたいという要請に対応できないと
いう問題があった。
【０００６】
また、デジタル放送受信機を車両などの移動体に搭載した場合には、車両の走
行に伴い受信感度が変化することがある。このような場合に、視聴者が電子番組
表で表示されているチャンネルから選択した放送番組を視聴しても、画像劣化が
著しいため趣向がそがれてしまうことがあるという問題があった。
【０００７】
本発明は、かかる現状に鑑みてなされたものであり、電子番組表デ−タに基づく電子番組表から、視聴者毎にグル−プ分けされた固有の電子番組表をディスプ
レイに表示させると共に、車載のデジタル放送受信機で番組を視聴する際に、受
信感度に応じた情報を当該固有の電子番組表に反映させたデジタル放送受信機の
提供を目的とする。
【課題を解決するための手段】
【０００８】
上記目的を達成するため、本発明は、チュ−ナで選局する放送番組の電子番組表デ−タに基づき電子番組表をディスプレイに表示させるデジタル放送受信機であって、電子番組表から番組の内容に応じて視聴者毎に文字情報とアイコンの画像でグル−プ分けした固有の電子番組表を作成する手段と、視聴者毎にグル−プ分けされた固有の電子番組表を作成する際に視聴予約を登録する手段と、視聴予約番組の放送開始時刻からの経過時間を設定する手段と、当該経過時間後に視聴予約を自動的に取り消す手段とを有することを特徴とする。
【０００９】
以上のような手段により本発明によれば、視聴予約番組の放送開始時刻から一定時間経過後に視聴予約を自動的に取り消している。このため、視聴者が予約番組の視聴を希望しない場合に対処することができる。
【００１０】
また好ましい態様としては、前記視聴予約を登録する手段と共に、視聴予約番組の予約有効時刻を指定する手段と、当該予約有効時刻の経過後に視聴予約を自動的に取り消す手段とを有することを特徴とする。
このような態様によれば、視聴予約の有効時刻の経過後に視聴予約を自動的に取り消しているので、視聴者の予約取消し操作が不要となる。
【００１１】
また好ましい態様としては、前記視聴予約を登録する手段と共に、視聴予約時刻の経過時間を番組の放送時間の全体の割合で設定する手段を設けることを特徴とする。
このような態様によれば、視聴予約を取消す際に、視聴予約時刻の経過時間を番組の放送時間の全体の割合で設定している。このため、番組全体の時間を考慮する必要がない。
【００１２】
また好ましい態様としては、前記視聴予約設定の有効期限の報知を、一定時間経過毎に行なうことを特徴とする。
このような態様によれば、視聴予約設定の有効期限を一定時間経過毎に報知している。このため、視聴者の番組予約の失念を防止することができる。
【００１３】
また好ましい態様としては、前記視聴予約設定の有効期限の報知は、ディスプレイ上の隅部にメッセ−ジを表示して実施することを特徴とする。
このような態様によれば、視覚により視聴予約設定の有効期限を確認することができる。
【００１４】
また好ましい態様としては、前記視聴予約設定の有効期限の報知を、一定時間経過毎に行なうことを特徴とする。
このような態様によれば、一定時間経過毎に繰り返して行われるので、
視聴者は確実に視聴予約設定の有効期限を確認することができる。
【００１５】
また好ましい態様としては、前記視聴予約設定の有効期限の報知は、一定時間経過毎に音声のメッセ−ジを発して実施することを特徴とする。
このような態様によれば、視聴者は聴覚により視聴予約設定の有効期限を確認することができる。
【００１６】
また好ましい態様としては、前記視聴予約の有効期限の報知手段を単独で、または組み合わせて予め設定可能としたことを特徴とする。
このような態様によれば、視聴者は希望する任意の手段で視聴予約の有効期限を設定することができる。
【００１７】
また好ましい態様としては、前記視聴予約の有効期限を、デフォルト設定として予め設定可能としたことを特徴とする。
このような態様によれば、視聴者は視聴予約の有効期限をその都度設定する必要がなく、使い勝手が改善される。
【００１８】
また好ましい態様としては、前記視聴予約の有効期限が経過したときに、ディスプレイに視聴予約のキャンセルを表示することを特徴とする。
このような態様によれば、視聴者は視聴予約のキャンセルを視覚により確認することができる。
【００１９】
また好ましい態様としては、前記視聴予約の有効期限が経過したときに、ディスプレイに視聴予約をキャンセルするか否かのメッセ−ジを表示することを特徴とする。
このような態様によれば、視聴予約をキャンセルするか否かを視聴者が判断して必要な操作を行なうことができる。
【発明の効果】
【００２０】
本発明によれば、視聴予約番組の放送開始時刻から所定時間経過後に視聴予約を自動的に取り消している。このため、視聴者が予約番組の視聴を希望しない場合に対処することができる。
【発明を実施するための最良の形態】
【００２１】
以下、本発明の実施の形態について図面を参照して説明する。図１２は本発明
が適用されるデジタル放送受信機の例を示す概略のブロック図である。図１２に
おいて、デジタル放送受信機１はアンテナ２でデジタル放送波を受信する。デジ
タル放送受信機１にはチュ−ナ１ａが設けられおり、チュ−ナ１ａのチュ−ニン
グにより１つの放送波を選局する。
【００２２】
チュ−ナ１ａで選局された放送波は、復調器１ｂで６４ＱＡＭ（Ｑｕａｄｒａ
ｔｕｒｅ  Ａｍｐｌｉｔｕｄｅ  Ｍｏｄｕｒａｔｉｏｎ）方式などで復調する。
復調器１ｂで復調された信号は、次にＴＳデコ−ダ１ｃでＭＰＥＧオ−ディオ信
号とＭＰＥＧビデオ信号に分離される。更に、音声デコ−ダ１ｄと映像デコ−ダ
１ｅでＭＰＥＧオ−ディオ信号とＭＰＥＧビデオ信号がデコ−ドされる。ＭＰＥ
Ｇオ−ディオ信号は、出力端子からスピ−カ４に出力される。また、ＭＰＥＧビ
デオ信号は、表示処理部１ｆで表示処理されて、出力端子からディスプレイ５に
出力される。
【００２３】
また、デジタル放送受信機１には、入出力インタ−フェイスＩ／Ｏ１ｇ、ＲＡ
Ｍ１ｈ、ＲＯＭ１ｉ、ＣＰＵ（Ｃｅｎｔｒａｌ  Ｐｒｏｃｅｓｓｉｎｇ  Ｕｎｉ
ｔ  中央演算処理装置）１ｊ、モデム１ｋ、映像劣化検出回路１ｌ、音声処理部
１ｍが設けられている。リモコンキ−などの操作部３からの信号をＩ／Ｏ１ｇで
検出して、デジタル放送受信機１のオン、オフ制御やチャンネル選局を行なう。
【００２４】
ＲＡＭ１ｈには、後述するように視聴者が種々の形態で適宜作成する固有の番
組表を登録する。ＲＯＭ１ｉには、デジタル放送受信機１を動作させるための管
理プログラムなどが格納されている。ＣＰＵ１ｊは、デジタル放送受信機１の動
作を所定のプログラムにより制御する。モデム１ｋは、外部信号を符号化し、ま
た復号する。映像劣化検出回路１ｌは、デジタル放送受信機の受信感度を検出す
る。音声処理部１ｍは、視聴者に種々の音声メッセ−ジを報知する。
【００２５】
好ましい実施の形態においては、デジタル放送の視聴者が男女それぞれの性別
で、幼児から高齢者まで各年齢層に分布していることから、受信したオリジナル
の電子番組表からグル−プ分けして、各人の特性や好みに応じて作成された固有
の電子番組表を表示できるように構成したことを特徴としている。すなわち、一
家族の中で例えば幼児向けのグル−プにはアイコンの画像を中心として電子番組
表を形成して表示する。
【００２６】
また、主婦などの成人のグル−プには、視聴の頻度の高い番組について、文字
やアイコンの画像を適宜当て嵌めて電子番組表を形成して表示するものである。
このように、視聴者の性別や年齢などの特性を考慮して、視聴者毎にグル−プ分
けされた特有の電子番組表を表示しているので、番組を視聴する視聴者の実情に
則した電子番組表を設定することができる。
【００２７】
図１〜図３は、このようなグル−プ化された電子番組表の一例を示す説明図で
ある。図１は成人の視聴者Ａに対する固有の電子番組表を示す番組を示す表示形
態例（番組枠内に表示する文字−図形）ものであり、（ａ）欄には番組の種類が
設定される。また、（ｂ）欄には各番号の表示形態が設定される。図１において
は、ニュ−ス番組は文字で表示し、音楽番組は五線紙に音符のアイコンで表示し
ている。また、スポ−ツ番組はバットとボ−ルで表示している。このように、音
楽番組とスポ−ツ番組は番組内容を連想させるようなアイコンの画像で表示して
いるので、視聴者Ａは視覚により迅速に番組内容を判断することができる。
【００２８】
図２は図１と同様に、主婦の視聴者Ｂに対する固有の電子番組表を示すもので
ある。図２において、料理番組とドラマの番組については、番組内容を連想させ
るようなアイコンの画像で表示している。また、天気予報については文字で表示
している。このように、図１、図２の例では文字情報とアイコンの画像を適宜組
み合わせて視聴者固有の電子番組表を表示しているので、視聴者の使い勝手が良
い電子番組表が得られる。
【００２９】
図３も図１と同様に、幼児の視聴者Ｃに対する固有の電子番組表を示すもので
ある。図３において、音楽番組、スポ−ツ番組、アニメ−ションの各番組につい
ては、番組内容を連想させるようなアイコンの画像で表示している。音楽番組と
スポ−ツ番組のアイコンの画像は、前記視聴者Ａの場合よりもより単純で幼児で
も番組内容を的確に判断できるようなアイコンの画像を採用している。
【００３０】
このように、年齢層に応じて同じ番組内容であってもアイコンの画像の形態を
変えて電子番組表を表示しているので、視聴者に対してよりきめ細かな対応をと
ることができる。図１〜図３に示したような、各視聴者特有の電子番組表は、グ
ル−プ化されて図１２のＲＡＭ１ｈに登録される。
【００３１】
そして、電子番組表を表示する際に、図１２に示したＣＰＵ１ｊが受信した番
組表デ−タと、ＲＡＭ１ｈに記憶、登録されたデ−タに基づき、視聴者固有の電
子番組表を作成し、表示する。なお、視聴者（種別）の識別（切替）は、視聴者
による指定操作、例えば、リモコンキ−３の操作に基づき行われる。
【００３２】
図４は、本発明の実施形態に係るデジタル放送受信機による電子番組表表示の
一例を示す説明図である。図４の（ａ）は、文字情報で形成されたオリジナルの
電子番組表Ｐａを示している。Ｇａの欄には、番組表（兵庫県）のタイトルが記
入されている。Ｇｂの欄には放送局名が記入されている。Ｇｃの欄には放送時間
が記入されている。Ｇｄの欄には、ある放送局のある放送時間に放送される番組
内容が文字で記入されている。
【００３３】
図４（ａ）のＫａは水平方向のスクロ−ルキ−で、このキ−を押すことにより
、電子番組表はスクロ−ルされて順次各放送局で放送される番組内容が表示され
る。Ｋｂ、Ｋｃは垂直方向のスクロ−ルキ−で、このキ−を押すことにより放送
時間がスクロ−ルされて表示される。
【００３４】
図４（ｂ）は、図１の（ａ）に示されている電子番組表Ｐａを、図１２の操作
部３によりワンタッチで切り替えて電子番組表Ｐｂを表示する例を示している。
電子番組表Ｐｂにおいては、電子番組表Ｐａの文字情報で表示された番組内容を
、すべて番組内容を連想するようなアイコンの画像に置き換えて表示している。
この電子番組表Ｐｂは、前記のようにオリジナルの電子番組表からグル−プ化さ
れて作成され、図１２のＲＡＭ１ｈに予め登録されている。前記操作部３からの
信号により、ＣＰＵ１ｊが当該電子番組表Ｐｂを読み出して、ディスプレイ５に
表示する。
【００３５】
このように、図４の例では文字情報のみで形成された電子番組表Ｐａを、ワン
タッチでアイコンの画像で形成された視聴者固有の電子番組表Ｐｂと置き換えて
表示している。このため、視聴者がデジタル放送を視聴する状況に合わせて、迅
速に、しかも簡易に、視聴者が見やすい形態で作成されている固有の電子番組表
を表示することができる。
【００３６】
図４の例は、特にデジタル放送受信機を車載機として構成した場合に状況に応
じて種々の設定を行なうことができ、有用である。例えば、ディスプレイに近い
運転席では文字情報の電子番組表でも番組内容を確認できる。しかしながら、助
手席や後部座席では文字情報の電子番組表は判読できなくなるので、アイコンの
画像で形成された固有の電子番組表を表示する。このように、アイコンの画像で
形成された電子番組表を予め設定しておくことにより、視聴者が着席している車
両の座席位置を考慮した電子番組表を表示することができる。
【００３７】
また、車両を走行させている際に、車内灯の使用の有無により電子番組表の切
り替えを行なうこともできる。すなわち、車内灯を使用していないときには、文
字情報の電子番組表でも視認することができる。しかしながら、車内灯を使用し
ているときには、車内灯の出力光がディスプレイに反射して文字情報がみにくく
なる。そこで、このような場合にはアイコンの画像で形成された視聴者固有の電
子番組表に切り替えてディスプレイに表示する。
【００３８】
更に、車両を走行させているときの時刻に応じて電子番組表を表示させること
ができる。例えば、午後５時以降に娯楽番組を視聴するような場合には、午後５
時になった時点で、文字情報の電子番組表Ｐａから自動的にアイコンの画像で形
成された視聴者固有の電子番組表に切り替える構成とすることができる。
【００３９】
このような、車両を走行させているときの時刻に応じた電子番組表の切り替え
を、特定の曜日の特定の時刻に設定することもできる。例えば日曜日の午後５時
に、文字情報の電子番組表からアイコンの画像で形成された視聴者固有の電子番
組表に切り替えを行なう構成とするものである。このように、車両内で電子番組
表を閲覧する際の状況や現在時刻に対応して自動的に電子番組表の切り替えを行
なう構成とすることにより、視聴者の操作が不要となる利点がある。
【００４０】
また、番組の放送時刻に対応させて電子番組表を切り替える構成とすることも
できる。図１（ｂ）の例では、例えば○×放送の午後９時にサッカ−の試合の番
組が放送されるが、視聴者が午後９時に放送される番組の電子番組表表示の操作
をすると、サッカ−の試合をアイコンの画像で形成した視聴者固有の電子番組表
をディスプレイに表示する。
【００４１】
図１２に示したように、本発明のデジタル放送受信機１は、映像劣化検出回路
１ｌを備えている。このため、ある時刻においてある放送局の放送波の受信状態
が良好かどうかをＣＰＵ１ｊで判断することができる。図５は、このような受信
状態の劣化を電子番組表の表示に反映させる例の説明図である。この例では、受
信状態が劣化した放送局における番組のアイコンの画像Ｇｅを、受信状態が良好
な他の放送局の番組のアイコンＧｄよりも小さく表示している。
【００４２】
図５のような受信状態が劣化した放送局の番組のアイコンを、他の放送局の番
組のアイコンと区別して表示する例として、他の実施形態では、かかる受信状態
が劣化した番組のアイコンを画面に表示しない構成とすることができる。また、
当該受信状態が劣化した番組のアイコンを、画面上の表示色を薄くして表示する
ことができる。図５のように、受信状態が劣化した放送局の番組のアイコンを、
他の放送局の番組のアイコンと区別して表示するので、視聴者は受信状態が劣化
した放送局の番組の選択を避けて、受信状態が良好な放送局の番組を選択して視
聴することができる。
【００４３】
本発明においては、視聴者が自己に固有の電子番組表を表示する際に、電子番
組表上に番組の予約を行なったことを示すマ−クを表示させることができる。こ
のような視聴予約をする番組にマ−クを付して電子番組表に表示させることによ
り、視聴者は視聴予約の有無を電子番組表で確認することができる。
【００４４】
図６は、本発明の他の実施形態を示す説明図である。この例では、予め視聴す
る番組の予約を行なうものである。図６においては、電子番組表において、○○
放送局のスポ−ツ番組、例えば高校野球の番組Ｇｆに「ｒｅｓｅｒｖｅｄ」の視
聴予約のマ−クを付している。このように、視聴予約のマ−クを予め図１２のＲ
ＡＭ１ｈに登録しておき、固有の電子番組表に貼付て表示する。
【００４５】
図６の例では、図５で説明したように、受信状態が劣化した放送局の番組のア
イコンは他の放送局の番組のアイコンと区別して表示されている前記スポ−ツ番
組について視聴予約が設定設定されている。このため、当該スポ−ツ番組につい
て受信状態が回復したときには、優先して視聴予約しているスポ−ツ番組にチャ
ンネルを切り替えて表示する。
【００４６】
このように、受信状態に応じて自動的に予約された番組に切り替えて表示する
ので、視聴者が何度もチャンネルを切り替えて視聴予約の番組のを表示させ受信
状態を確認する必要がなく、視聴予約の番組を視聴する際の視聴者の利便性が高
められる。なお、視聴予約の番組は、図６の例のように劣化した受信状態が回復
した場合にのみ表示される設定とされるものではなく、受信状態とは切り離して
随時表示する設定とすることができる。
【００４７】
図６のように、あるチャンネルで視聴予約を設定しているときに、視聴者が当
該チャンネルの受信劣化時に他のチャンネルの番組を視聴しているものとする。
このような場合に、受信状況が改善されると自動的に視聴予約の番組に切り替わ
り、視聴者の趣向がそがれる恐れが生じる。
【００４８】
そこで、本実施の形態においては、図７の説明図に示すようにディスプレイに
受信状況が改善されたことを報知するメッセ−ジＧｇを表示して、視聴者に注意
を促している。このため、視聴者は視聴予約の時刻が到来すると番組が切り替わ
ることを事前に連絡されるので、現在視聴中の番組を継続して視聴するか、また
はチャンネルを切り替えるかの選択をすることができる。
【００４９】
図６のように午前９時から午前１１時までの高校野球の視聴予約を行なう例に
おいて、予約開始時刻から所定時間経過後には視聴予約を取り消す設定とするこ
とができる。この所定時間を、例えば３０分に設定すると、午前９時３０分が経
過したときに自動的に視聴予約がキャンセルされる。このため、視聴者が予約番
組の視聴を希望しない場合に、視聴者の操作を必要とすることなく対応すること
ができる。
【００５０】
また、視聴予約の有効期限を設定し、予約時刻経過後の特定の時刻に予約の取
消しを行なう構成とすることができる。図６の例では、視聴予約の有効期限を、
例えば予約時刻から５０分経過した午前９時５０分に設定する。この場合には、
午前９時５０分に高校野球の視聴予約は取り消される。このように、設定した時
刻に自動的に予約をキャンセルするので、視聴者が番組の予約をしているにも拘
らず他の番組を視聴している場合に、視聴予約の取消し操作が不要となる。
【００５１】
また、視聴予約された番組について、放送開始時間からの経過時間の割合で予
約を取り消す構成とすることができる。図６の例で、予約した高校野球の放送時
間は午前９時から午前１１時までの２時間である。この例で、経過時間の割合を
５０％に設定すると、午前１０時を経過すると視聴予約をキャンセルする。この
ように、視聴予約された番組の放送開始時刻から一定割合の時間経過で予約を取
り消しているので、当該番組の全体の放送時間を考慮することなく視聴予約を合
理的に取り消すことができる。
【００５２】
また、視聴予約開始時刻から所定時間経過毎に、当該番組の残部の放送時間を
ディスプレイに表示することができる。例えば、視聴予約開始時刻から１０分経
過毎に「視聴予約有効時間はあと３０分です。」、「視聴予約有効時間はあと２
０分です。」のように表示する。このように残部の放送時間を表示するので、視
聴者は視聴予約した番組の放送時間があとどれだけの時間残っているかを確認す
ることができる。
【００５３】
このように、視聴予約した番組の放送時間があとどれだけの時間残っているか
のメッセ−ジをディスプレイに表示する際に、本発明においては当該メッセ−ジ
を画面の隅部のように、映像の表示の妨げとならない位置に表示する構成とする
ことができる。このため、視聴者は映像を観賞しつつ予約時間があとどれだけ残
っているかを確認することができる。
【００５４】
また、視聴予約開始時刻から所定時間経過毎に、当該番組の残部の放送時間を
音声で報知することができる。例えば、視聴予約開始時刻から１０分経過毎に「
視聴予約有効時間はあと３０分です。」、「視聴予約有効時間はあと２０分です
。」のように音声のメッセ−ジで視聴者に報知する。このように残部の放送時間
を音声で報知するので、視聴者は視聴予約した番組の放送時間があとどれだけの
時間残っているかを、画面の表示によらずに確認することができる。
【００５５】
図８は、本発明の他の実施形態を示す説明図である。図８の例では、デジタル
放送受信機を用いたシステムのデフォルト設定として、視聴予約の有効期限通知
方法を設定メニュ−から選択できる構成としている。図８に示すように、前記通
知方法は「画面で表示」、「音声で通知」、「ポップアップ表示」で設定してい
る。「ポップアップ表示」では、例えば表示間隔を１０分ごとに設定というよう
に、表示間隔を設定することができる。このように、図８の例では視聴予約の有
効期限通知を、視聴者が任意の方法で設定することができる。
【００５６】
また、本実施の形態においては、デジタル放送受信機を用いたシステムのデフ
ォルト設定として、視聴予約の有効期限指定メニュ−から、視聴予約の有効期限
の条件を設定することもできる。このようにして設定された視聴予約の有効期限
の条件は、図１２のＲＡＭ１ｈに記憶させておき、繰り返して使用できる構成と
することができる。
【００５７】
図８は、本発明の他の実施形態を示す説明図である。図８の例では、ディスプ
レイに視聴予約の番組の放送時間が終了したメッセ−ジＧｉを表示している。こ
のように、視聴予約のキャンセルをディスプレイに表示することにより、視聴者
は画面上で視聴予約のキャンセルを確認することができる。
【００５８】
図９は、本発明の他の実施形態を示す説明図である。図９の例では、視聴予約
のキャンセルを行なうかどうかを視聴者に促すメッセ−ジＧｊをディスプレイに
表示している。このように、図９の例では視聴者の判断で視聴予約のキャンセル
を行なうので、視聴者にとって不本意な形態で視聴予約が解消されるような事態
を回避することができる。
【００５９】
図１１は、本発明の他の実施形態を示すブロック図である。図１１の例では、
図示番号１０のチュ−ナＸと図示番号１１のチュ−ナＹとの２台のチュ−ナを用
いている。チュ−ナＸは、視聴する番組を選局してディスプレイ１５に表示する
。また、チュ−ナＹは、視聴予約中の放送番組についての受信感度をモニタして
いる。
【００６０】
前記チュ−ナＹで視聴予約した放送番組の受信感度が回復したことを検出する
と、受信機切替え制御部１２は、映像切替え制御部１３と音声切替え制御部１４
に信号を送り、チュ−ナＸからチュ−ナＹに切り替える。そして、チュ−ナＹで
受信している視聴予約の番組の映像をディスプレイ１５に表示し、音声をスピ−
カ１６から出力する。図１１の構成では、選局された放送番組の視聴中に、同時
に平行して視聴予約した番組の受信感度をモニタすることができる。
【００６１】
また、他の実施の形態においては、図１２に示したように単一のチュ−ナのみ
を有し、チュ−ナで選局した番組を視聴中にコマ−シャル放送が入ると、当該チ
ュ−ナを視聴予約されている番組の受信感度をチュックするチュ−ナに切り替え
る構成とすることができる。このように、単一のチュ−ナで選局した番組の視聴
と、視聴予約されている番組の受信感度のチュックとの異なる作用を持たせてい
るので、コストを低減することができる。
【００６２】
前記のように、単一のチュ−ナで視聴予約されている番組の受信感度をチュッ
クした結果、受信感度の低下が改善されていない場合には、視聴予約の番組に切
り替えずに他の番組の視聴を継続する。そして、前記のように、視聴予約の時間
が経過した場合には、視聴予約を取り消す構成とすることができる。
【図面の簡単な説明】
【００６３】
【図１】本発明の実施の形態に係るデジタル放送受信機で放送される番組表を示す説明図である。
【図２】番組サ−ビスの種類を示す説明図である。
【図３】番組サ−ビスの構成例を示す説明図である。
【図４】番組サ−ビスの構成例を示す説明図である。
【図５】本発明の番組表の例を示す説明図である。
【図６】本発明の番組表の例を示す説明図である。
【図７】本発明の番組表の例を示す説明図である。
【図８】本発明の番組表の例を示す説明図である。
【図９】本発明の番組表の例を示す説明図である。
【図１０】本発明の番組表の例を示す説明図である。
【図１１】本発明の他の実施の形態に係るデジタル放送受信機を示すブロック図である。
【図１２】本発明の実施の形態に係るデジタル放送受信機を示すブロック図である。
【符号の説明】
【００６４】
１    デジタル放送受信機
２    アンテナ
３    操作部
４    スピ−カ
５    ディスプレイ
【図１】
2007089220.tif 000003
【図２】
2007089220.tif 000004
【図３】
2007089220.tif 000005
【図４】
2007089220.tif 000006
【図５】
2007089220.tif 000007
【図６】
2007089220.tif 000008
【図７】
2007089220.tif 000009
【図８】
2007089220.tif 000010
【図９】
2007089220.tif 000011
【図１０】
2007089220.tif 000012
【図１１】
2007089220.tif 000013
【図１２】
2007089220.tif 000014
【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
視聴予約した番組の受信状態が回復した場合に当該予約した番組に受信を切り替えるデジタル放送受信機であって、
視聴予約番組の放送開始時刻からの経過時間を設定する設定手段と、
前記視聴予約した番組を視聴していない場合、前記経過時間後に視聴予約を自動的に取り消す手段とを有することを特徴とするデジタル放送受信機。
【請求項２】
前記設定手段は、視聴予約番組の予約有効時刻を指定する指定手段であることを特徴とする請求項１に記載のデジタル放送受信機。
【請求項３】
前記設定手段は、視聴予約時刻の経過時間を番組の放送時間の全体の割合で設定する割合設定であることを特徴とする請求項１に記載のデジタル放送受信機。
【請求項４】
前記視聴予約設定の有効期限の報知を、一定時間経過毎に行なうことを特徴とする請求項１、請求項２または請求項３に記載のデジタル放送受信機。
【請求項５】
番組の視聴予約を行えるデジタル放送受信機であって、
視聴予約番組の放送開始時刻からの経過時間を設定する設定手段と、
前記視聴予約した番組を視聴していない場合、前記経過時間後に視聴予約を自動的に取り消す手段とを有することを特徴とするデジタル放送受信機。
【手続補正２】
【補正対象書類名】明細書
【補正対象項目名】全文
【補正方法】変更
【補正の内容】
【発明の詳細な説明】
【技術分野】
【０００１】
本発明は、電子番組表デ−タに基づき電子番組表から視聴者毎にグル−プ分け
された固有の電子番組表をディスプレイに表示させると共に、車載のデジタル放
送受信機で番組を視聴する際に、受信感度に応じた情報を当該固有の電子番組表
に反映させたデジタル放送受信機に関する。
【背景技術】
【０００２】
最近、衛星放送などの多チャンネルの番組を視聴するデジタル放送受信機が普
及してきている。デジタル放送受信機では、テレビジョン（以下、ＴＶと略記す
る）放送の複数チャンネルのデ−タが多重化されたＴＳ（Ｔｒａｎｓｐｏｒｔ  
Ｓｔｒｅａｍ）を選択して再生する。ＴＳには、ＥＰＧ（Ｅｌｅｃｔｒｏｎｉｃ
Ｐｒｏｇｒａｍ  Ｇｕｉｄｅ、電子番組表）が付加されている。
【０００３】
電子番組表として、チャンネル毎に放送時間に対応させて番組内容を文字情報
で表示するものが知られている。視聴者は、ディスプレイにこの電子番組表を随
時表示して、番組内容を閲覧することができる。このように、デジタル放送を視
聴する際に電子番組表をディスプレイに表示すると、番組内容を確認できるので
視聴者に対するサ−ビスが向上するという利点がある。
【０００４】
従来の電子番組表の表示形態は、文字情報のみの表示と、番組内容を想起させ
るような簡略化されたアイコンの画像で表示されていた。ここで、アイコンによ
る電子番組表は、年代や性別などの視聴者の特性とは関係なく画一的に形成され
ていた。なお、電子番組表はＥＰＧデ−タに基づきデジタル放送受信機が生成す
るもので、デジタル放送受信機の機種毎に若干表示形態が異なるが、略同様の表
示内容である。
【発明の開示】
【発明が解決しようとする課題】
【０００５】
このため、視聴者は、年代や性別などの特性に拘らず文字情報か、または画一
的に形成されているアイコンの画像で電子番組表を閲覧していた。したがって、
個々の視聴者にとっては、電子番組表の使い勝手が良好ではない場合がある。例
えば、スポ−ツ番組をアイコンで表示する場合でも、幼児と成人ではアイコンの
形態を変えたいという要請がある。このように、従来においては、視聴者毎の特
性に応じて異なる形態で電子番組表を表示させたいという要請に対応できないと
いう問題があった。
【０００６】
また、デジタル放送受信機を車両などの移動体に搭載した場合には、車両の走
行に伴い受信感度が変化することがある。このような場合に、視聴者が電子番組
表で表示されているチャンネルから選択した放送番組を視聴しても、画像劣化が
著しいため趣向がそがれてしまうことがあるという問題があった。
【０００７】
本発明は、かかる現状に鑑みてなされたものであり、電子番組表デ−タに基づく電子番組表から、視聴者毎にグル−プ分けされた固有の電子番組表をディスプ
レイに表示させると共に、車載のデジタル放送受信機で番組を視聴する際に、受
信感度に応じた情報を当該固有の電子番組表に反映させたデジタル放送受信機の
提供を目的とする。
【課題を解決するための手段】
【０００８】
上記目的を達成するため、本発明は、視聴予約した番組の受信状態が回復した場合に当該予約した番組に受信を切り替えるデジタル放送受信機であって、
視聴予約番組の放送開始時刻からの経過時間を設定する設定手段と、
前記視聴予約した番組を視聴していない場合、前記経過時間後に視聴予約を自動的に取り消す手段とを有することを特徴とすることを特徴とする。
【０００９】
以上のような手段により本発明によれば、視聴予約番組の放送開始時刻から一定時間経過後に視聴予約を自動的に取り消している。このため、視聴者が予約番組の視聴を希望しない場合に対処することができる。
【００１０】
また好ましい態様としては、前記設定手段は、視聴予約番組の予約有効時刻を指定する指定手段であることを特徴とする。
このような態様によれば、視聴予約の有効時刻の経過後に視聴予約を自動的に取り消しているので、視聴者の予約取消し操作が不要となる。
【００１１】
また好ましい態様としては、前記設定手段は、視聴予約時刻の経過時間を番組の放送時間の全体の割合で設定する割合設定であることを特徴とする。
このような態様によれば、視聴予約を取消す際に、視聴予約時刻の経過時間を番組の放送時間の全体の割合で設定している。このため、番組全体の時間を考慮する必要がない。
【００１２】
また好ましい態様としては、前記視聴予約設定の有効期限の報知を、一定時間経過毎に行なうことを特徴とする。
このような態様によれば、視聴予約設定の有効期限を一定時間経過毎に報知している。このため、視聴者の番組予約の失念を防止することができる。
【００１３】
また本発明は、番組の視聴予約を行えるデジタル放送受信機であって、
視聴予約番組の放送開始時刻からの経過時間を設定する設定手段と、
前記視聴予約した番組を視聴していない場合、前記経過時間後に視聴予約を自動的に取り消す手段とを有することを特徴とする。
以上のような手段により本発明によれば、視聴予約番組の放送開始時刻から一定時間経過後に視聴予約を自動的に取り消している。このため、視聴者が予約番組の視聴を希望しない場合に対処することができる。
【００１４】
また好ましい態様としては、前記視聴予約設定の有効期限の報知は、ディスプレイ上の隅部にメッセ−ジを表示して実施することを特徴とする。
このような態様によれば、視覚により視聴予約設定の有効期限を確認することができる。
【００１５】
また好ましい態様としては、前記視聴予約設定の有効期限の報知を、一定時間経過毎に行なうことを特徴とする。
このような態様によれば、一定時間経過毎に繰り返して行われるので、
視聴者は確実に視聴予約設定の有効期限を確認することができる。
【００１６】
また好ましい態様としては、前記視聴予約設定の有効期限の報知は、一定時間経過毎に音声のメッセ−ジを発して実施することを特徴とする。
このような態様によれば、視聴者は聴覚により視聴予約設定の有効期限を確認することができる。
【００１７】
また好ましい態様としては、前記視聴予約の有効期限の報知手段を単独で、または組み合わせて予め設定可能としたことを特徴とする。
このような態様によれば、視聴者は希望する任意の手段で視聴予約の有効期限を設定することができる。
【００１８】
また好ましい態様としては、前記視聴予約の有効期限を、デフォルト設定として予め設定可能としたことを特徴とする。
このような態様によれば、視聴者は視聴予約の有効期限をその都度設定する必要がなく、使い勝手が改善される。
【００１９】
また好ましい態様としては、前記視聴予約の有効期限が経過したときに、ディスプレイに視聴予約のキャンセルを表示することを特徴とする。
このような態様によれば、視聴者は視聴予約のキャンセルを視覚により確認することができる。
【００２０】
また好ましい態様としては、前記視聴予約の有効期限が経過したときに、ディスプレイに視聴予約をキャンセルするか否かのメッセ−ジを表示することを特徴とする。
このような態様によれば、視聴予約をキャンセルするか否かを視聴者が判断して必要な操作を行なうことができる。
【発明の効果】
【００２１】
本発明によれば、視聴予約番組の放送開始時刻から所定時間経過後に視聴予約を自動的に取り消している。このため、視聴者が予約番組の視聴を希望しない場合に対処することができる。
【発明を実施するための最良の形態】
【００２２】
以下、本発明の実施の形態について図面を参照して説明する。図１２は本発明
が適用されるデジタル放送受信機の例を示す概略のブロック図である。図１２に
おいて、デジタル放送受信機１はアンテナ２でデジタル放送波を受信する。デジ
タル放送受信機１にはチュ−ナ１ａが設けられおり、チュ−ナ１ａのチュ−ニン
グにより１つの放送波を選局する。
【００２３】
チュ−ナ１ａで選局された放送波は、復調器１ｂで６４ＱＡＭ（Ｑｕａｄｒａ
ｔｕｒｅ  Ａｍｐｌｉｔｕｄｅ  Ｍｏｄｕｒａｔｉｏｎ）方式などで復調する。
復調器１ｂで復調された信号は、次にＴＳデコ−ダ１ｃでＭＰＥＧオ−ディオ信
号とＭＰＥＧビデオ信号に分離される。更に、音声デコ−ダ１ｄと映像デコ−ダ
１ｅでＭＰＥＧオ−ディオ信号とＭＰＥＧビデオ信号がデコ−ドされる。ＭＰＥ
Ｇオ−ディオ信号は、出力端子からスピ−カ４に出力される。また、ＭＰＥＧビ
デオ信号は、表示処理部１ｆで表示処理されて、出力端子からディスプレイ５に
出力される。
【００２４】
また、デジタル放送受信機１には、入出力インタ−フェイスＩ／Ｏ１ｇ、ＲＡ
Ｍ１ｈ、ＲＯＭ１ｉ、ＣＰＵ（Ｃｅｎｔｒａｌ  Ｐｒｏｃｅｓｓｉｎｇ  Ｕｎｉ
ｔ  中央演算処理装置）１ｊ、モデム１ｋ、映像劣化検出回路１ｌ、音声処理部
１ｍが設けられている。リモコンキ−などの操作部３からの信号をＩ／Ｏ１ｇで
検出して、デジタル放送受信機１のオン、オフ制御やチャンネル選局を行なう。
【００２５】
ＲＡＭ１ｈには、後述するように視聴者が種々の形態で適宜作成する固有の番
組表を登録する。ＲＯＭ１ｉには、デジタル放送受信機１を動作させるための管
理プログラムなどが格納されている。ＣＰＵ１ｊは、デジタル放送受信機１の動
作を所定のプログラムにより制御する。モデム１ｋは、外部信号を符号化し、ま
た復号する。映像劣化検出回路１ｌは、デジタル放送受信機の受信感度を検出す
る。音声処理部１ｍは、視聴者に種々の音声メッセ−ジを報知する。
【００２６】
好ましい実施の形態においては、デジタル放送の視聴者が男女それぞれの性別
で、幼児から高齢者まで各年齢層に分布していることから、受信したオリジナル
の電子番組表からグル−プ分けして、各人の特性や好みに応じて作成された固有
の電子番組表を表示できるように構成したことを特徴としている。すなわち、一
家族の中で例えば幼児向けのグル−プにはアイコンの画像を中心として電子番組
表を形成して表示する。
【００２７】
また、主婦などの成人のグル−プには、視聴の頻度の高い番組について、文字
やアイコンの画像を適宜当て嵌めて電子番組表を形成して表示するものである。
このように、視聴者の性別や年齢などの特性を考慮して、視聴者毎にグル−プ分
けされた特有の電子番組表を表示しているので、番組を視聴する視聴者の実情に
則した電子番組表を設定することができる。
【００２８】
図１〜図３は、このようなグル−プ化された電子番組表の一例を示す説明図で
ある。図１は成人の視聴者Ａに対する固有の電子番組表を示す番組を示す表示形
態例（番組枠内に表示する文字−図形）ものであり、（ａ）欄には番組の種類が
設定される。また、（ｂ）欄には各番号の表示形態が設定される。図１において
は、ニュ−ス番組は文字で表示し、音楽番組は五線紙に音符のアイコンで表示し
ている。また、スポ−ツ番組はバットとボ−ルで表示している。このように、音
楽番組とスポ−ツ番組は番組内容を連想させるようなアイコンの画像で表示して
いるので、視聴者Ａは視覚により迅速に番組内容を判断することができる。
【００２９】
図２は図１と同様に、主婦の視聴者Ｂに対する固有の電子番組表を示すもので
ある。図２において、料理番組とドラマの番組については、番組内容を連想させ
るようなアイコンの画像で表示している。また、天気予報については文字で表示
している。このように、図１、図２の例では文字情報とアイコンの画像を適宜組
み合わせて視聴者固有の電子番組表を表示しているので、視聴者の使い勝手が良
い電子番組表が得られる。
【００３０】
図３も図１と同様に、幼児の視聴者Ｃに対する固有の電子番組表を示すもので
ある。図３において、音楽番組、スポ−ツ番組、アニメ−ションの各番組につい
ては、番組内容を連想させるようなアイコンの画像で表示している。音楽番組と
スポ−ツ番組のアイコンの画像は、前記視聴者Ａの場合よりもより単純で幼児で
も番組内容を的確に判断できるようなアイコンの画像を採用している。
【００３１】
このように、年齢層に応じて同じ番組内容であってもアイコンの画像の形態を
変えて電子番組表を表示しているので、視聴者に対してよりきめ細かな対応をと
ることができる。図１〜図３に示したような、各視聴者特有の電子番組表は、グ
ル−プ化されて図１２のＲＡＭ１ｈに登録される。
【００３２】
そして、電子番組表を表示する際に、図１２に示したＣＰＵ１ｊが受信した番
組表デ−タと、ＲＡＭ１ｈに記憶、登録されたデ−タに基づき、視聴者固有の電
子番組表を作成し、表示する。なお、視聴者（種別）の識別（切替）は、視聴者
による指定操作、例えば、リモコンキ−３の操作に基づき行われる。
【００３３】
図４は、本発明の実施形態に係るデジタル放送受信機による電子番組表表示の
一例を示す説明図である。図４の（ａ）は、文字情報で形成されたオリジナルの
電子番組表Ｐａを示している。Ｇａの欄には、番組表（兵庫県）のタイトルが記
入されている。Ｇｂの欄には放送局名が記入されている。Ｇｃの欄には放送時間
が記入されている。Ｇｄの欄には、ある放送局のある放送時間に放送される番組
内容が文字で記入されている。
【００３４】
図４（ａ）のＫａは水平方向のスクロ−ルキ−で、このキ−を押すことにより
、電子番組表はスクロ−ルされて順次各放送局で放送される番組内容が表示され
る。Ｋｂ、Ｋｃは垂直方向のスクロ−ルキ−で、このキ−を押すことにより放送
時間がスクロ−ルされて表示される。
【００３５】
図４（ｂ）は、図１の（ａ）に示されている電子番組表Ｐａを、図１２の操作
部３によりワンタッチで切り替えて電子番組表Ｐｂを表示する例を示している。
電子番組表Ｐｂにおいては、電子番組表Ｐａの文字情報で表示された番組内容を
、すべて番組内容を連想するようなアイコンの画像に置き換えて表示している。
この電子番組表Ｐｂは、前記のようにオリジナルの電子番組表からグル−プ化さ
れて作成され、図１２のＲＡＭ１ｈに予め登録されている。前記操作部３からの
信号により、ＣＰＵ１ｊが当該電子番組表Ｐｂを読み出して、ディスプレイ５に
表示する。
【００３６】
このように、図４の例では文字情報のみで形成された電子番組表Ｐａを、ワン
タッチでアイコンの画像で形成された視聴者固有の電子番組表Ｐｂと置き換えて
表示している。このため、視聴者がデジタル放送を視聴する状況に合わせて、迅
速に、しかも簡易に、視聴者が見やすい形態で作成されている固有の電子番組表
を表示することができる。
【００３７】
図４の例は、特にデジタル放送受信機を車載機として構成した場合に状況に応
じて種々の設定を行なうことができ、有用である。例えば、ディスプレイに近い
運転席では文字情報の電子番組表でも番組内容を確認できる。しかしながら、助
手席や後部座席では文字情報の電子番組表は判読できなくなるので、アイコンの
画像で形成された固有の電子番組表を表示する。このように、アイコンの画像で
形成された電子番組表を予め設定しておくことにより、視聴者が着席している車
両の座席位置を考慮した電子番組表を表示することができる。
【００３８】
また、車両を走行させている際に、車内灯の使用の有無により電子番組表の切
り替えを行なうこともできる。すなわち、車内灯を使用していないときには、文
字情報の電子番組表でも視認することができる。しかしながら、車内灯を使用し
ているときには、車内灯の出力光がディスプレイに反射して文字情報がみにくく
なる。そこで、このような場合にはアイコンの画像で形成された視聴者固有の電
子番組表に切り替えてディスプレイに表示する。
【００３９】
更に、車両を走行させているときの時刻に応じて電子番組表を表示させること
ができる。例えば、午後５時以降に娯楽番組を視聴するような場合には、午後５
時になった時点で、文字情報の電子番組表Ｐａから自動的にアイコンの画像で形
成された視聴者固有の電子番組表に切り替える構成とすることができる。
【００４０】
このような、車両を走行させているときの時刻に応じた電子番組表の切り替え
を、特定の曜日の特定の時刻に設定することもできる。例えば日曜日の午後５時
に、文字情報の電子番組表からアイコンの画像で形成された視聴者固有の電子番
組表に切り替えを行なう構成とするものである。このように、車両内で電子番組
表を閲覧する際の状況や現在時刻に対応して自動的に電子番組表の切り替えを行
なう構成とすることにより、視聴者の操作が不要となる利点がある。
【００４１】
また、番組の放送時刻に対応させて電子番組表を切り替える構成とすることも
できる。図１（ｂ）の例では、例えば○×放送の午後９時にサッカ−の試合の番
組が放送されるが、視聴者が午後９時に放送される番組の電子番組表表示の操作
をすると、サッカ−の試合をアイコンの画像で形成した視聴者固有の電子番組表
をディスプレイに表示する。
【００４２】
図１２に示したように、本発明のデジタル放送受信機１は、映像劣化検出回路
１ｌを備えている。このため、ある時刻においてある放送局の放送波の受信状態
が良好かどうかをＣＰＵ１ｊで判断することができる。図５は、このような受信
状態の劣化を電子番組表の表示に反映させる例の説明図である。この例では、受
信状態が劣化した放送局における番組のアイコンの画像Ｇｅを、受信状態が良好
な他の放送局の番組のアイコンＧｄよりも小さく表示している。
【００４３】
図５のような受信状態が劣化した放送局の番組のアイコンを、他の放送局の番
組のアイコンと区別して表示する例として、他の実施形態では、かかる受信状態
が劣化した番組のアイコンを画面に表示しない構成とすることができる。また、
当該受信状態が劣化した番組のアイコンを、画面上の表示色を薄くして表示する
ことができる。図５のように、受信状態が劣化した放送局の番組のアイコンを、
他の放送局の番組のアイコンと区別して表示するので、視聴者は受信状態が劣化
した放送局の番組の選択を避けて、受信状態が良好な放送局の番組を選択して視
聴することができる。
【００４４】
本発明においては、視聴者が自己に固有の電子番組表を表示する際に、電子番
組表上に番組の予約を行なったことを示すマ−クを表示させることができる。こ
のような視聴予約をする番組にマ−クを付して電子番組表に表示させることによ
り、視聴者は視聴予約の有無を電子番組表で確認することができる。
【００４５】
図６は、本発明の他の実施形態を示す説明図である。この例では、予め視聴す
る番組の予約を行なうものである。図６においては、電子番組表において、○○
放送局のスポ−ツ番組、例えば高校野球の番組Ｇｆに「ｒｅｓｅｒｖｅｄ」の視
聴予約のマ−クを付している。このように、視聴予約のマ−クを予め図１２のＲ
ＡＭ１ｈに登録しておき、固有の電子番組表に貼付て表示する。
【００４６】
図６の例では、図５で説明したように、受信状態が劣化した放送局の番組のア
イコンは他の放送局の番組のアイコンと区別して表示されている前記スポ−ツ番
組について視聴予約が設定設定されている。このため、当該スポ−ツ番組につい
て受信状態が回復したときには、優先して視聴予約しているスポ−ツ番組にチャ
ンネルを切り替えて表示する。
【００４７】
このように、受信状態に応じて自動的に予約された番組に切り替えて表示する
ので、視聴者が何度もチャンネルを切り替えて視聴予約の番組のを表示させ受信
状態を確認する必要がなく、視聴予約の番組を視聴する際の視聴者の利便性が高
められる。なお、視聴予約の番組は、図６の例のように劣化した受信状態が回復
した場合にのみ表示される設定とされるものではなく、受信状態とは切り離して
随時表示する設定とすることができる。
【００４８】
図６のように、あるチャンネルで視聴予約を設定しているときに、視聴者が当
該チャンネルの受信劣化時に他のチャンネルの番組を視聴しているものとする。
このような場合に、受信状況が改善されると自動的に視聴予約の番組に切り替わ
り、視聴者の趣向がそがれる恐れが生じる。
【００４９】
そこで、本実施の形態においては、図７の説明図に示すようにディスプレイに
受信状況が改善されたことを報知するメッセ−ジＧｇを表示して、視聴者に注意
を促している。このため、視聴者は視聴予約の時刻が到来すると番組が切り替わ
ることを事前に連絡されるので、現在視聴中の番組を継続して視聴するか、また
はチャンネルを切り替えるかの選択をすることができる。
【００５０】
図６のように午前９時から午前１１時までの高校野球の視聴予約を行なう例に
おいて、予約開始時刻から所定時間経過後には視聴予約を取り消す設定とするこ
とができる。この所定時間を、例えば３０分に設定すると、午前９時３０分が経
過したときに自動的に視聴予約がキャンセルされる。このため、視聴者が予約番
組の視聴を希望しない場合に、視聴者の操作を必要とすることなく対応すること
ができる。
【００５１】
また、視聴予約の有効期限を設定し、予約時刻経過後の特定の時刻に予約の取
消しを行なう構成とすることができる。図６の例では、視聴予約の有効期限を、
例えば予約時刻から５０分経過した午前９時５０分に設定する。この場合には、
午前９時５０分に高校野球の視聴予約は取り消される。このように、設定した時
刻に自動的に予約をキャンセルするので、視聴者が番組の予約をしているにも拘
らず他の番組を視聴している場合に、視聴予約の取消し操作が不要となる。
【００５２】
また、視聴予約された番組について、放送開始時間からの経過時間の割合で予
約を取り消す構成とすることができる。図６の例で、予約した高校野球の放送時
間は午前９時から午前１１時までの２時間である。この例で、経過時間の割合を
５０％に設定すると、午前１０時を経過すると視聴予約をキャンセルする。この
ように、視聴予約された番組の放送開始時刻から一定割合の時間経過で予約を取
り消しているので、当該番組の全体の放送時間を考慮することなく視聴予約を合
理的に取り消すことができる。
【００５３】
また、視聴予約開始時刻から所定時間経過毎に、当該番組の残部の放送時間を
ディスプレイに表示することができる。例えば、視聴予約開始時刻から１０分経
過毎に「視聴予約有効時間はあと３０分です。」、「視聴予約有効時間はあと２
０分です。」のように表示する。このように残部の放送時間を表示するので、視
聴者は視聴予約した番組の放送時間があとどれだけの時間残っているかを確認す
ることができる。
【００５４】
このように、視聴予約した番組の放送時間があとどれだけの時間残っているか
のメッセ−ジをディスプレイに表示する際に、本発明においては当該メッセ−ジ
を画面の隅部のように、映像の表示の妨げとならない位置に表示する構成とする
ことができる。このため、視聴者は映像を観賞しつつ予約時間があとどれだけ残
っているかを確認することができる。
【００５５】
また、視聴予約開始時刻から所定時間経過毎に、当該番組の残部の放送時間を
音声で報知することができる。例えば、視聴予約開始時刻から１０分経過毎に「
視聴予約有効時間はあと３０分です。」、「視聴予約有効時間はあと２０分です
。」のように音声のメッセ−ジで視聴者に報知する。このように残部の放送時間
を音声で報知するので、視聴者は視聴予約した番組の放送時間があとどれだけの
時間残っているかを、画面の表示によらずに確認することができる。
【００５６】
図８は、本発明の他の実施形態を示す説明図である。図８の例では、デジタル
放送受信機を用いたシステムのデフォルト設定として、視聴予約の有効期限通知
方法を設定メニュ−から選択できる構成としている。図８に示すように、前記通
知方法は「画面で表示」、「音声で通知」、「ポップアップ表示」で設定してい
る。「ポップアップ表示」では、例えば表示間隔を１０分ごとに設定というよう
に、表示間隔を設定することができる。このように、図８の例では視聴予約の有
効期限通知を、視聴者が任意の方法で設定することができる。
【００５７】
また、本実施の形態においては、デジタル放送受信機を用いたシステムのデフ
ォルト設定として、視聴予約の有効期限指定メニュ−から、視聴予約の有効期限
の条件を設定することもできる。このようにして設定された視聴予約の有効期限
の条件は、図１２のＲＡＭ１ｈに記憶させておき、繰り返して使用できる構成と
することができる。
【００５８】
図８は、本発明の他の実施形態を示す説明図である。図８の例では、ディスプ
レイに視聴予約の番組の放送時間が終了したメッセ−ジＧｉを表示している。こ
のように、視聴予約のキャンセルをディスプレイに表示することにより、視聴者
は画面上で視聴予約のキャンセルを確認することができる。
【００５９】
図９は、本発明の他の実施形態を示す説明図である。図９の例では、視聴予約
のキャンセルを行なうかどうかを視聴者に促すメッセ−ジＧｊをディスプレイに
表示している。このように、図９の例では視聴者の判断で視聴予約のキャンセル
を行なうので、視聴者にとって不本意な形態で視聴予約が解消されるような事態
を回避することができる。
【００６０】
図１１は、本発明の他の実施形態を示すブロック図である。図１１の例では、
図示番号１０のチュ−ナＸと図示番号１１のチュ−ナＹとの２台のチュ−ナを用
いている。チュ−ナＸは、視聴する番組を選局してディスプレイ１５に表示する
。また、チュ−ナＹは、視聴予約中の放送番組についての受信感度をモニタして
いる。
【００６１】
前記チュ−ナＹで視聴予約した放送番組の受信感度が回復したことを検出する
と、受信機切替え制御部１２は、映像切替え制御部１３と音声切替え制御部１４
に信号を送り、チュ−ナＸからチュ−ナＹに切り替える。そして、チュ−ナＹで
受信している視聴予約の番組の映像をディスプレイ１５に表示し、音声をスピ−
カ１６から出力する。図１１の構成では、選局された放送番組の視聴中に、同時
に平行して視聴予約した番組の受信感度をモニタすることができる。
【００６２】
また、他の実施の形態においては、図１２に示したように単一のチュ−ナのみ
を有し、チュ−ナで選局した番組を視聴中にコマ−シャル放送が入ると、当該チ
ュ−ナを視聴予約されている番組の受信感度をチュックするチュ−ナに切り替え
る構成とすることができる。このように、単一のチュ−ナで選局した番組の視聴
と、視聴予約されている番組の受信感度のチュックとの異なる作用を持たせてい
るので、コストを低減することができる。
【００６３】
前記のように、単一のチュ−ナで視聴予約されている番組の受信感度をチュッ
クした結果、受信感度の低下が改善されていない場合には、視聴予約の番組に切
り替えずに他の番組の視聴を継続する。そして、前記のように、視聴予約の時間
が経過した場合には、視聴予約を取り消す構成とすることができる。
【図面の簡単な説明】
【００６４】
【図１】本発明の実施の形態に係るデジタル放送受信機で放送される番組表を示す説明図である。
【図２】番組サ−ビスの種類を示す説明図である。
【図３】番組サ−ビスの構成例を示す説明図である。
【図４】番組サ−ビスの構成例を示す説明図である。
【図５】本発明の番組表の例を示す説明図である。
【図６】本発明の番組表の例を示す説明図である。
【図７】本発明の番組表の例を示す説明図である。
【図８】本発明の番組表の例を示す説明図である。
【図９】本発明の番組表の例を示す説明図である。
【図１０】本発明の番組表の例を示す説明図である。
【図１１】本発明の番組表の例を示す説明図である。
【図１２】本発明の実施の形態に係るデジタル放送受信機を示すブロック図である。
【符号の説明】
【００６５】
１    デジタル放送受信機
２    アンテナ
３    操作部
４    スピ−カ
５    ディスプレイ